(57)【要約】      （修正有）【課題】乳幼児を体の前方で抱く形式のスリングにおいて、従来のものは使用者等によりその肩かけベルトの長さ調節が行われるため、場合によりずり落ちるという問題があった。【解決手段】ずり落ちをなくした簡素な構成のスリングであり、その要旨は、中間部が幅広で端部に向かって幅狭となる長尺状の包み布６よりなる乳幼児保持体１と、乳幼児保持体の両端につながり乳幼児保持体を支持する帯状支持体８とで全体として環状に形成され、包み布の幅方向の両側端には補強部１２、１３が形成されるとともに、帯状支持体の少なくとも中央部には緩衝材を内蔵する複数の平板状肩当部１０を備えたことにある。【選択図】図１
0003133312.tif 000002
【実用新案登録請求の範囲】
【請求項１】
中間部が幅広で端部に向って幅狭となる長尺状の包み布よりなる乳幼児保持体と、上記乳幼児保持体の両端につながり当該乳幼児保持体を支持する帯状支持体とで全体として環状に形成され、上記包み布の幅方向の両側端には補強部が形成されるとともに、上記帯状支持体の少なくとも中央部には緩衝材を内蔵する複数の平板状肩当部を備えたことを特徴とする乳幼児用スリング。
【請求項２】
上記長尺状の包み布は２枚の布を長さ方向に縫合したものであり、上記補強部は上記包み布の幅方向の両側端を当該側端に沿って袋縫いをし、その袋内に芯材を挿入したものである請求項１に記載の乳幼児用スリング。
【請求項３】
上記帯状支持体は布製であって、長さ方向にポケット部を有し、上記ポケット部に緩衝材を入れ、適宜の間隔でステッチを入れることにより複数個のブロック体として上記平板状肩当部を構成したものである請求項１又は２に記載の乳幼児用スリング。
【考案の詳細な説明】
【技術分野】
【０００１】
本考案は、主として乳幼児を体の前方で抱く形式の乳幼児用スリングに関する。
【背景技術】
【０００２】
従来より、乳幼児を体の前方で抱く形式のスリングは色々の工夫が行われ、アイディアとしては数多く存在する。例えば、特許文献１に示されるスリングは、乳幼児を包むべく中間部ほど幅広の長尺状に形成した包み布を設けて、包み布の両側端に補強部を形成するとともに、上記包み布の両端に包み布を環状に変形可能とする固定手段を形成したベビーキャリアであり、乳幼児や被装着者への負担を極力低減でき、生後すぐから長期間に渡って使用することができ、一定の効果を奏すると考えられる。
【特許文献１】実開平７−１４９２１号公報
【考案の開示】
【考案が解決しようとする課題】
【０００３】
特許文献１に開示のベビーキャリアは、包み布の一端を幅狭にして、その先端を包み布の他端に設けられた２つの挿通リングに挿通し、挿通部の先端を折り返して、一方の挿通リングに再度挿通し、適宜、長さを調整することになっている。したがって、このような長さを調整するタイプのものは、乳幼児の重み等により挿通部の先端が挿通リングより徐々にずり落ちるおそれなしとしない。
【０００４】
本考案は、上記のようなずり落ちのおそれが全くなく、かつ簡素な構成で、乳幼児にとって優しく、スリング使用者にとっても機能性に優れたスリングを提供する。
【課題を解決するための手段】
【０００５】
本考案請求項１に記載の考案は、中間部が幅広で端部に向って幅狭となる長尺状の包み布よりなる乳幼児保持体と、上記乳幼児保持体の両端につながり当該乳幼児保持体を支持する帯状支持体とで全体として環状に形成され、上記包み布の幅方向の両側端には補強部が形成されるとともに、上記帯状支持体の少なくとも中央部には緩衝材を内蔵する複数の平板状肩当部を備えたことを特徴とする乳幼児用スリングである。
【０００６】
同請求項２に記載の考案は、上記長尺状の包み布は２枚の布を長さ方向に縫合したものであり、上記補強部は上記包み布の幅方向の両側端を当該側端に沿って袋縫いをし、その袋内に芯材を挿入したものである請求項１に記載の乳幼児用スリングである。
【０００７】
同請求項３に記載の考案は、上記帯状支持体は布製であって、長さ方向にポケット部を有し、上記ポケット部に緩衝材を入れ、適宜の間隔でステッチを入れることにより複数個のブロック体として上記平板状肩当部を構成したものである請求項１又は２に記載の乳幼児用スリングである。
【考案の効果】
【０００８】
本考案は、上述のような構成の乳幼児用スリングであり、乳幼児保持体と同保持体を支持する帯状支持体とが一体的に環状に形成されているので、乳幼児保持体のずり落ちなどの心配は全くない。また、補強部により乳幼児をたて抱きしたときにも乳幼児の足の負担が軽くなっている。さらにまた、平板状肩当部により肩の負担を軽くするとともに、支持体のよじれを減らすことに成功した。
【考案を実施するための最良の形態】
【０００９】
以下、本考案の実施例につき、図面を参照しながら説明する。
【００１０】
図１は本考案の一実施例における乳幼児スリングの斜視図、図２は同スリングの使用状態を示す図、図３は同スリングの平面図、図４は同スリングの側面図、図５は図４におけるＡ−Ａ断面図、図６は図４におけるＢ−Ｂ断面図、図７は図３におけるＣ−Ｃ断面図である。
【００１１】
図において、乳幼児保持体１は２枚の肌触りの良いしっかりした綿布（例えばワーフル生地、綿１００％）２、３をほぼ中央にて長さ方向に縫合した、中間部４が幅広で端部５に向って幅狭となる長尺状の包み布６よりなる。図中点線は縫合わせ部（ステッチ部）７を示し、他の点線のところも原則としてステッチ部を示す。
【００１２】
次に保持体１を支持する帯状支持体８は保持体１の材料と同じ綿布を使い帯状の袋にしている。その袋内には板状のわたなどの緩衝材９を入れ、適宜の間隔、この実施例では、ほぼ８等分割するようにステッチ１６を入れている。
【００１３】
その結果、平板状肩当部１０となるブロックが８個出来るが、場合により、この肩当部は中央部付近だけであっても良い。
【００１４】
これら肩当部１０を設けることにより、使用時における肩への負担を軽くするとともに、支持体８のよじれを減らす又はなくすことができる。
【００１５】
尚、乳幼児保持体１と帯状支持体８はそれぞれの端部同志を縫合することにより一体的に環状に形成される。本実施例の場合は強度を上げるために４本のステッチ１１を入れている。
【００１６】
さらに、乳幼児保持体１の包み布の幅方向の両側端は当該側端に沿って袋縫いされ、その袋内にキルト芯などの芯材１４を挿入して補強部１２、１３としている。これにより幼児等をたてに抱いたとき幼児等への足の負担を軽くすることができる。
【００１７】
また、包み布６の両端部は２本のタック１５が入っており、ポーゲに幅をもたせている。本実施例は左右対称形で左、右どちらの肩にかける場合も不都合がない。
【００１８】
図３〜図７は、前述のとおりであり、図１と同じ番号を同じ箇所に付している。
【００１９】
図２は、本考案スリングの使用状態を示す図であり、図番は前述で説明したとおりである。尚、本考案スリングは支持体の長さを調整するものではないので、製作段階で大、中、小（いわゆるＬ、Ｍ、Ｓ）等の大きさを用意しておくのが望ましい。
【図面の簡単な説明】
【００２０】
【図１】本考案の一実施例における乳幼児スリングの斜視図。
【図２】本考案の一実施例における乳幼児スリングの使用状態を示す図。
【図３】本考案の一実施例における乳幼児スリングの平面図。
【図４】本考案の一実施例における乳幼児スリングの側面図。
【図５】本考案の一実施例における乳幼児スリングの図４におけるＡ−Ａ断面図。
【図６】本考案の一実施例における乳幼児スリングの図４におけるＢ−Ｂ断面図。
【図７】本考案の一実施例における乳幼児スリングの図３におけるＣ−Ｃ断面図。
【符号の説明】
【００２１】
１    乳幼児保持体
２    綿布
３    綿布
６    包み布
７    縫合わせ部
８    帯状支持体
９    緩衝材
１０    平板状肩当部
１２    補強部
１３    補強部
１４    芯材
【図１】
0003133312.tif 000003
【図２】
0003133312.tif 000004
【図３】
0003133312.tif 000005
【図４】
0003133312.tif 000006
【図５】
0003133312.tif 000007
【図６】
0003133312.tif 000008
【図７】
0003133312.tif 000009